(57)【要約】【課題】高温飲料を収容するコップ体に係止してその飲料を確実に封止できる断熱スリーブを提供する。【解決手段】開口部を有するコップ体と、該開口部を覆う封止部と、該封止部の外周縁から外側へ張り出す蓋壁部を有するコップ蓋を該コップ体に固定できる断熱スリーブであって、該コップ体及び該コップ蓋を包むことができるようにが開口している筒状に形成される且つ、該コップ体及び該コップ蓋を包む際、該コップ体及び該コップ蓋に面する内壁面１４並びに、内壁面１４の反対側にある外壁面１５を有すると共に、内壁面１４の少なくとも一部が該コップ体に当接せずに該コップ体との間に断熱空間を画成する本体１０と、本体１０の内壁面１４から外壁面１５側へ凹陥するように形成されて該開口部を覆う該蓋壁部を受け入れて係合できる係合手段１６と、を備える。【選択図】図１
0003209726.tif 000002
【実用新案登録請求の範囲】
【請求項１】
底部及び該底部の反対側にある開口部を有するコップ体と、該開口部を覆う封止部と、該封止部の外周縁から該外周縁の外側へ張り出す蓋壁部を有するコップ蓋に用いられる断熱スリーブであって、
前記コップ体及び前記コップ蓋を包むことができるように、少なくとも一端が開口している略筒状に形成され且つ、前記コップ体及び前記コップ蓋を包む際、該コップ体及び該コップ蓋に面する内壁面並びに、前記内壁面の反対側にある外壁面を有すると共に、前記内壁面の少なくとも一部が前記コップ体に当接せずに前記コップ体との間に断熱空間を画成する本体と、
前記本体の前記内壁面から前記外壁面側へ凹陥する係止空間を囲むように形成されて前記コップ体の前記開口部を覆う前記コップ蓋の前記蓋壁部を受け入れて係合することにより該コップ蓋を該コップ体に固定することができる少なくとも１つの係合手段と、
を備えることを特徴とする断熱スリーブ。
【請求項２】
前記コップ蓋の前記蓋壁部は、該コップ蓋の前記封止部が前記コップ体の前記開口部を覆う際において、前記コップ体の外周面の少なくとも一部を覆うように構成されており、
前記断熱スリーブは、前記コップ蓋及び前記コップ体に取付けられる際、前記内壁面で前記コップ蓋の前記蓋壁部に当接して該蓋壁部を前記コップ体の前記外周面に押し付けるように構成されていること特徴とする請求項１に記載の断熱スリーブ。
【請求項３】
前記本体の前記内壁面には、該内壁面の周方向に沿って互いに間を開けて並ぶように配置される複数の前記係合手段が形成されており、
各前記係合手段は、前記本体の前記内壁面から前記外壁面側へ凹陥した上で前記外壁面に到達するように前記本体を貫通する係合口であることを特徴とする請求項１または請求項２に記載の断熱スリーブ。
【請求項４】
前記係合手段は、前記本体の内周に沿って前記内壁面から前記外壁面へ凹陥し、前記コップ蓋の前記蓋壁部を受け入れて係合できる環状溝であることを特徴とする請求項１または請求項２に記載の断熱スリーブ。
【請求項５】
前記略筒状に形成されている前記本体の開口している前記一端の端縁には、前記コップ蓋の前記蓋壁部が前記コップ体に取付けられた際、前記封止部の前記蓋壁部と接続する箇所よりも前記開口している一端とは反対方向へ深くなるように切り込まれた切り込み口が形成されていることを特徴とする請求項１〜請求項４のいずれか一項に記載の断熱スリーブ。
【請求項６】
各前記係合手段には、該係合手段において前記略筒状に形成されている前記本体の開口している前記一端側にある端縁から、前記係止空間内に突起し、該前記係合手段が受け入れる前記コップ蓋の前記蓋壁部を係合できる係合突起が更に形成されていることを特徴とする請求項１〜請求項５のいずれか一項に記載の断熱スリーブ。
【請求項７】
各前記係合手段には、該係合手段において前記略筒状に形成されている前記本体の開口している前記一端側の反対側にある端縁から、前記係止空間内に突起し、該前記係合手段が受け入れる前記コップ蓋の前記蓋壁部に当接できる当接突起が更に形成されていることを特徴とする請求項１〜請求項６のいずれか一項に記載の断熱スリーブ。
【請求項８】
前記本体をぶら下げて保持することができるよう、両端が前記本体の前記外壁面の両側にそれぞれ取付けられている手提げ手段を更に備えていることを特徴とする請求項１に記載の断熱スリーブ。
【請求項９】
前記手提げ手段は、紐材により構成された紐部と、該紐部の両端から更に延伸するように該両端にそれぞれ固定されている取り付けブロックと、前記取り付けブロックの前記紐部に固定されている箇所から、該取り付けブロックの前記紐部から延伸する方向の反対側へ延伸するアンカー部と、を有し、前記取り付けブロックは前記本体内に挿し込まれるように取付けられ、前記アンカー部は前記取り付けブロックを前記本体に係止するように構成されていることを特徴とする請求項８に記載の断熱スリーブ。
【請求項１０】
前記略筒状に形成されている前記本体の開口している前記一端の端縁には、前記コップ蓋の前記蓋壁部を前記コップ体に取付けられた際、
前記封止部の前記蓋壁部と接続する箇所よりも前記開口している一端とは反対方向へ深くなるように切り込まれた切り込み口が形成されており、
前記手提げ手段は、前記切り込み口の互いに離れた２つの端部にそれぞれ取付けられている２つの固定部と、
両端が前記２つの固定部にそれぞれ連結していると共に、前記本体の開口している前記一端の端縁に対して接近、離間することができ、且つ、前記端縁に対して接近する際、前記切り込み口内に嵌めこむようになっているリップ部と、を更に備えていることを特徴とする請求項８または請求項９に記載の断熱スリーブ。
【請求項１１】
前記略筒状に形成されている前記本体の開口している前記一端の端縁には、前記切り込み口の反対側において前記開口が臨む側へ更に突起する突起部が形成されていると共に、該突起部には取っ手穴が形成されていることを特徴とする請求項５に記載の断熱スリーブ。
【考案の詳細な説明】
【技術分野】
【０００１】
本考案は断熱スリーブに関し、特にコップなどの容器に用いられる断熱スリーブに関する。
【背景技術】
【０００２】
熱い紅茶やコーヒーなどの高温飲料を収容するコップ体の上端開口を覆う従来の封止手段としては、例えば下記の特許文献に記載されるコップ蓋が挙げられる。該コップ蓋は、コップ体の上端開口を覆う封止部と、前記封止部の外周縁から張り出すと共に、前記コップ体の前記開口を囲むコップ壁の先端部を囲みながら係止される蓋壁部と、を具えている。該コップ蓋を前記コップ体に装着することにより、持ち運ぶ際に多少の揺れや震動があっても、該コップ体内に収容される高温飲料がこぼれることを防止することができる。
【０００３】
しかし、該コップ蓋は通常プラスチック材により作成されるので、前記コップ体内にある高温飲料の熱に当てられ続けると、変形して前記コップ体との係合が緩まってしまうこともあり、そして揺れや震動によりコップ体から外れてしまう恐れもある。
【０００４】
また、使用者が熱い表面に直接触れずに容器を扱えるようにするために、容器の外側を取り巻く断熱カバーがすでに提供されている。
【先行技術文献】
【特許文献】
【０００５】
【特許文献１】台湾実用新案登録第５１９１２９Ｍ号
【考案の概要】
【考案が解決しようとする課題】
【０００６】
上記問題点に鑑みて、本考案は、コップ体に取付けられるコップ蓋を係止することができる断熱スリーブの提供を目的とする。
【課題を解決するための手段】
【０００７】
上記目的を達成すべく、本考案の断熱スリーブは、底部及び該底部の反対側にある開口部を有するコップ体と、該開口部を覆う封止部と、該封止部の外周縁から該外周縁の外側へ張り出す蓋壁部を有するコップ蓋を該コップ体に固定することができる断熱スリーブであって、前記コップ体及び前記コップ蓋を包むことができるように、少なくとも一端が開口している略筒状に形成されていると共に、前記コップ体及び前記コップ蓋を包む際、該コップ体及び該コップ蓋に面する内壁面と、前記内壁面の反対側にある外壁面と有すると共に、前記内壁面には、前記コップ体に当接せずに前記コップ体との間に断熱空間を画成する少なくとも１つの断熱箇所を有し、前記略筒状に形成されている本体と、前記本体の前記内壁面から前記外壁面側へ凹陥する係止空間を囲むように形成されて前記コップ体の前記開口部を覆う前記コップ蓋の前記蓋壁部を受け入れて係合ことにより該コップ蓋を該コップ体に固定することができる少なくとも１つの係合手段と、を備える。
【考案の効果】
【０００８】
上記構成によれば、本考案の断熱スリーブは、コップ体及びそれを封止するコップ蓋を包むことができる前記本体と、該コップ蓋の蓋壁部を受け入れて係合することにより該コップ蓋を該コップ体に係止できる前記係合手段を備えているため、該コップ蓋との前記係合によって該コップ蓋を該コップ体に係止できる断熱スリーブを提供することができる。
【図面の簡単な説明】
【０００９】
【図１】本考案の断熱スリーブの第１の実施形態が示されている斜視図である。
【図２】本考案の断熱スリーブの第１の実施形態がコップ体及びコップ蓋に装着される方法が示されている分解斜視図である。
【図３】本考案の断熱スリーブの第１の実施形態がコップ体及びコップ蓋に取り付けられた状態が示されている断面図である。
【図４】本考案の断熱スリーブの第１の実施形態を示す図３の要部断面図である。
【図５】本考案の断熱スリーブの第２の実施形態がコップ体及びコップ蓋に取り付けられた状態が示されている断面図である。
【図６】本考案の断熱スリーブの第３の実施形態が示されている斜視図である。
【図７】本考案の断熱スリーブの第３の実施形態がコップ体及びコップ蓋に取り付けられた状態が示されている断面図である。
【図８】本考案の断熱スリーブの第３の実施形態がコップ体及びコップ蓋に取り付けられた状態が示されている要部拡大断面図である。
【図９】本考案の断熱スリーブの第４の実施形態が示されている斜視図である。
【図１０】本考案の断熱スリーブの第４の実施形態がコップ体及びコップ蓋に取り付けられた状態が示されている要部断面図である。
【図１１】本考案の断熱スリーブの第４の実施形態の変化例が示されている要部拡大断面図である
【図１２】本考案の断熱スリーブの第５の実施形態が示されている斜視図である。
【図１３】本考案の断熱スリーブの第５の実施形態がコップ体及びコップ蓋に取り付けられた状態が示されている要部断面図である。
【図１４】本考案の断熱スリーブの第６の実施形態がコップ体及びコップ蓋に装着される方法が示されている分解斜視図である。
【図１５】本考案の断熱スリーブの第６の実施形態がコップ体及びコップ蓋に取り付けられた状態が示されている要部断面図である。
【図１６】本考案の断熱スリーブの第７の実施形態が示されている斜視図である。
【図１７】本考案の断熱スリーブの第７の実施形態がコップ体及びコップ蓋に装着される方法が示されている分解斜視図である。
【図１８】本考案の断熱スリーブの第７の実施形態における手提げ手段の使用状態が示されている斜視図である。
【図１９】本考案の断熱スリーブの第８の実施形態が示されている斜視図である。
【図２０】本考案の断熱スリーブの第８の実施形態の変化例が示されている斜視図である。
【考案を実施するための形態】
【００１０】
（第１の実施形態）
以下、図１〜図４を参照しながら、本考案の断熱スリーブを例示する第１の実施形態について詳しく説明する。図１は本考案の断熱スリーブの第１の実施形態が示されている斜視図である。図２は本考案の断熱スリーブの第１の実施形態がコップ体及びコップ蓋に装着される方法が示されている分解斜視図である。図３は本考案の断熱スリーブの第１の実施形態がコップ体及びコップ蓋に取り付けられた状態が示されている断面図である。そして図４は本考案の断熱スリーブの第１の実施形態がコップ蓋をコップ体に係止する構成を示す要部拡大断面図である。
【００１１】
本考案の断熱スリーブは、紅茶やコーヒーなどの高温飲料を収容できるコップ体３０及び、そのコップ体３０に取り付けられるコップ蓋２０に対応し、コップ蓋２０をコップ体３０に係止することができるものである。
【００１２】
図示されているように本考案の断熱スリーブが適用できるコップ体３０としては、底部３２及び該底部３２の反対側にある開口部３１を有する極めてシンプルなものである。一方、本考案の断熱スリーブが適用できるコップ蓋２０は、例えば耐熱性と可撓性があるゴムやプラスチックからなるもので、コップ体３０の開口部３１を覆う封止部２１と、該封止部２１の外周縁から該外周縁の外側へ張り出すと共に、封止部２１がコップ体３０の開口部３１を覆う際にコップ体３０の外周面の少なくとも一部を側面から覆うように構成される蓋壁部２３と、を有している。
【００１３】
また、この適用例において使用されているコップ蓋２０の蓋壁部２３は、封止部２１がコップ体３０の開口部３１を覆う際において、封止部２１の外周縁からコップ体３０の底部３２側（図中の下側）へ張り出してコップ体３０の開口部３１側の端部の外周面を囲む張り出し箇所２３１と、張り出し箇所２３１が張り出した先端縁から底部３２を離れる側（図中の上側）へ折れ曲がる折り返し箇所２３２と、が形成されている。更に、封止部２１の一側において飲み口２１４が設けられている。
【００１４】
図２に示すように、この実施形態において、本考案の断熱スリーブは、コップ体３０及びコップ蓋２０を包むことができるように、両端がそれぞれ開口している略筒状、且つ該両端における一端である上端１１から該両端における他端である下端１２にかけて径が徐々に狭くなる略せっ頭錐形に形成される本体１０と、該本体１０に形成され、コップ体３０の開口部３１を覆う蓋壁部２３を受け入れて係合することによりコップ蓋２０をコップ体３０に固定できる複数の係合手段１６と、を備えている。
【００１５】
更に、図３に示すように、本体１０は、コップ体３０及びコップ蓋２０を包む際、該コップ体３０及びコップ蓋２０に面する内壁面１４と、内壁面１４の反対側にある外壁面１５とを有している。
【００１６】
また、図２に示す本体１０の上端１１の端縁１１１には、コップ蓋２０の蓋壁部２３をコップ体３０に取付けられた際、封止部２１の蓋壁部２３と接続する箇所よりも上端１１とは反対方向の下端１２側へ深くなるように切り込まれた切り込み口１１２が形成されている。ちなみに、本実施形態に制限されず、本体１０は、上端１１のみが開口し、そして下端１２が封閉されるような筒状に適宜変更されることも可能である。即ち、本考案の断熱スリーブが有する本体１０は、コップ体３０及びコップ蓋２０を包むことができるように、少なくとも一端が開口している略筒状に形成されていればよく、そしてこの開口している少なくとも一端とは、各実施形態における上端を指している。
【００１７】
本実施形態における各係合手段１６は、本体１０の内壁面１４において、該内壁面１４の周方向に沿って互いに間を開けて並ぶように配置されると共に、内壁面１４から外壁面１５側へ凹陥した上で外壁面１５に到達するように本体１０を貫通する係止空間である係合口１６１を囲むように形成されている。この構成により、コップ蓋２０の蓋壁部２３が各係合手段１６の係止空間内に収容される装着状態では、本体１０の内壁面１４において各係合手段１６の間の部分は当接箇所１４１として蓋壁部２３に当接しながら、該蓋壁部２３をコップ体３０の外周面に押し付けることができる。また、その装着状態では、本体１０の内壁面１４は各係合手段１６の間の部分が当接箇所１４１として蓋壁部２３に当接するため、該内壁面１４において、各当接箇所１４１より下側の部分はコップ体３０の外周面に接触しない断熱箇所１４２となってコップ体３０との間に断熱空間４０を画成することができる。
【００１８】
本実施形態における本考案の断熱スリーブを製造する場合には、例えば板紙やプラスチックなどの材料を、略筒状に形成されることができる形状に切り取り、更に、各係合手段１６の係合口１６１に該当する開口、並びに図１に示す切り込み口１１２を対応する位置に形成してから、略筒状に巻いて作成することができる。
【００１９】
ちなみに、この実施形態の断熱スリーブをコップ体３０及びコップ蓋２０に装着する際、本体１０に形成される切り込み口１１２をコップ蓋２０の封止部２１に形成される飲み口２１４に隣接させるように装着すると、断熱スリーブを取り外さずに飲み口２１４から中身を飲むことができる。
【００２０】
（第２の実施形態）
次に、図５を参照しながら、本考案の断熱スリーブを例示する第２の実施形態について説明する。図５は本考案の第２の実施形態とコップ体及びコップ蓋との組合関係が示されている断面図である。なお、前記の実施形態と共通する構成は同じ符号を付けて詳しい説明を省略する。
【００２１】
本考案の第２の実施形態の構造は、前記第１の実施形態と多く共通しているが、本体１０ａの下端１２ａの内壁面１４にはコップ止め１７が突起するように形成されている。このコップ止め１７により本体１０ａの内壁面１４とコップ体３０との間に画成される断熱空間４０を確保することができる。ちなみに、この実施形態において、コップ止め１７は本体１０ａの下端１２ａにある開口の開口縁から該開口の内周方向へ折り曲げられることにより形成されたものであるが、他の構成を利用して内壁面１４から突起する構成を達成することも可能である。
【００２２】
（第３の実施形態）
続いて、図６〜図８を参照しながら、本考案の断熱スリーブを例示する第３の実施形態について説明する。図６は本考案の第３の実施形態が示されている斜視図である。図７は本考案の第３の実施形態がコップ体及びコップ蓋に取り付けられた状態が示されている断面図である。図８は本考案の第３の実施形態がコップ体及びコップ蓋に取り付けられた状態の要部拡大断面図である。なお、前記の実施形態と共通する構成は同じ符号を付けて説明を省略する。
【００２３】
本考案の第３の実施形態の構造は、前記第１の実施形態と多く共通しているが、係合手段１６ｂが、本体１０ｂの内周に沿って内壁面１４ｂから外壁面１５ｂへ凹陥し、コップ蓋２０の蓋壁部２３を受け入れて係合できる１つの環状溝１６２（図８）として形成される点において異なっており、開口せずに（すなわち、図１及び図３における係合口１６１を形成せずとも）凹陥する構造でもコップ蓋２０を係合してコップ体３０に固定する効果を達成できる。
【００２４】
また、図７及び図８に示されているように、この第３の実施形態では、係合手段１６ｂが内壁面１４ｂから凹陥することにより生じる角部１６５で、コップ蓋２０の蓋壁部２３の折り返し箇所２３２に当接することにより、本体１０ａの内壁面１４とコップ体３０との間に画成される断熱空間４０を確保することができる。
【００２５】
（第４の実施形態）
続いて、図９〜図１１を参照しながら、本考案の断熱スリーブを例示する第４の実施形態について説明する。図９は本考案の第４の実施形態が示されている斜視図である。図１０は本考案の第４の実施形態がコップ体及びコップ蓋に取り付けられた状態が示されている要部拡大断面図である。そして図１１は本考案の第４の実施形態の変化例が示されている要部拡大断面図である。なお、前記の実施形態と共通する構成は同じ符号を付けて詳しい説明を省略する。
【００２６】
図９及び図１０に示されているように、本考案の第４の実施形態の構造は、前記第１の実施形態と多く共通しているが、各係合手段１６ｃには、係合口１６１ｃにおいて略筒状に形成されている本体１０の上端１１側にある上端縁１６０１から、該係合口１６１ｃ内に突起する係合突起１６３が形成されている。図１０に示すように、各係合手段１６ｃにある係合突起１６３は、係合口１６１ｃが受け入れるコップ蓋２０の蓋壁部２３にある張り出し箇所２３１及び折り返し箇所２３２の間に進入して係合して折り返し箇所２３２に当接することにより、コップ蓋２０との係合を更に強化することができる。
【００２７】
更に、図１１に示されているように、本考案の第４の実施形態の変化例は蓋壁部２３ｃに折り返し箇所が形成されていない別種のコップ蓋２０ｃに対応するものであり、この場合は各係合突起１６３を本体１０の内側に折り曲げることで、各係合突起１６３がそれぞれ形成されている係合口１６１ｃの上端縁１６０１に折り目１６３１を設けることにより、係合口１６１ｃが受け入れるコップ蓋２０の蓋壁部２３ｃを下側へ押付けることで、係合口１６１ｃにおいて下側にある下端縁１６０２に当接する状態である該蓋壁部２３ｃを下端縁１６０２に押付けることにより、コップ蓋２０ｃをより確実に係止することができる。
【００２８】
（第５の実施形態）
続いて、図１２と図１３を参照しながら、本考案の断熱スリーブを例示する第５の実施形態について説明する。図１２は本考案の第５の実施形態が示されている斜視図である。図１３は本考案の第５の実施形態がコップ体及びコップ蓋とに取り付けられた状態が示されている要部拡大断面図である。なお、前記の実施形態と共通する構成は同じ符号を付けて詳しい説明を省略する。
【００２９】
図示されているように、本考案の第５の実施形態の構造は、前記第１の実施形態と多く共通しているが、各係合手段１６ｄには、それぞれの係合口１６１ｄにおいて前記略筒状に形成されている本体１０の上端１１側の反対側（下側）にある下端縁１６０２ｄから、該係合口１６１ｄに突起する当接突起１６４が形成される点において異なっている。図１４に示すように、各係合手段１６ｄにある当接突起１６４は、係合口１６１ｄが受け入れるコップ蓋２０の蓋壁部２３にある折り返し箇所２３２を当接し且つ変形しながら、該蓋壁部２３を係合口１６１ｄの上端縁１６０１ｄに押し付けることにより、コップ蓋２０をより確実に係止することができる。
【００３０】
（第６の実施形態）
続いて、図１４と図１５を参照しながら、本考案の断熱スリーブを例示する第６の実施形態について説明する。図１４は本考案の第６の実施形態がコップ体及びコップ蓋に取り付けられた状態が示されている分解斜視図である。図１５は本考案の第６の実施形態がコップ体及びコップ蓋に取り付けられた状態が示されている要部断面図である。なお、前記の実施形態と共通する構成は同じ符号を付けて詳しい説明を省略する。
【００３１】
本考案の第５の実施形態の構造は、前記第１の実施形態と多く共通しているが、この第５の実施形態は手提げ手段５０を更に備えている点において異なっている。
【００３２】
即ち、本体１０ｅの外壁面１５ｅの相対する両側から内壁面１４ｅまで貫通する２つの取り付け穴１８がそれぞれ開けられており、そして本実施形態における手提げ手段５０は、紐材により構成された紐部５１と、該紐部５１の両端から更に延伸するように該両端にそれぞれ固定されている取り付けブロック５２と、取り付けブロック５２の紐部５１に固定されている箇所から、取り付けブロック５２の紐部５１から延伸する方向の反対側へ延伸するアンカー部５３と、を有している。
【００３３】
このように構成された手提げ手段５０は、各取り付けブロック５２及びアンカー部５３が共に各取り付け穴１８をそれぞれ経由して本体１０内に挿し込まれる上、各取り付けブロック５２が紐部５１と接続される箇所から下側へ延伸し、且つ各アンカー部５３が上側へ突起するように配置されることにより、手提げ手段５０を本体１０に係止するように構成されている。
【００３４】
この構造によれば、図１５に示すように、本考案の断熱スリーブの本体１０をコップ蓋２０及びコップ体３０と共にぶら下げて保持しながら、コップ蓋２０及びコップ体３０を確実に係止することができる。
【００３５】
（第７の実施形態）
続いて、図１６〜図１８を参照しながら、本考案の断熱スリーブを例示する第７の実施形態について説明する。図１６は本考案の第７の実施形態が示されている斜視図である。図１７は本考案の第７の実施形態の断熱スリーブがコップ体及びコップ蓋に装着される方法が示されている分解斜視図である。図１８は本考案の第７の実施形態における手提げ手段の使用状態が示されている斜視図である。なお、前記の実施形態と共通する構成は同じ符号を付けて詳しい説明を省略する。
【００３６】
図示されているように、本考案の断熱スリーブの第７の実施形態の構成は、前記第６の実施形態と同じく手提げ手段を有しているが、この実施形態における手提げ手段５０ｆは、本体１０ｆと一体的に作成されたことにおいて異なっている。
【００３７】
すなわち、本実施形態における本体１０ｆ及び手提げ手段５０ｆは、切り込み口１１２ｆの互いに離れた２つの端部にそれぞれ取付けられると共に、それぞれ穿孔５７０が設けられる２つの固定部５７と、両端が各固定部５７にそれぞれ連結していると共に、本体１０ｆの上端１１ｆの端縁１１１ｆに対して接近、離間できるリップ部５５と、上端１１ｆの端縁１１１ｆにおいて外壁面１５ｆの周縁に沿って延伸すると共に、上端１１ｆと各固定部５７及びリップ部５５を連接する環状のリング部５４と、を有している。
【００３８】
また、リップ部５５は、図１６に示すように、端縁１１１ｆに対して接近する際、切り込み口１１２ｆ内に嵌め込むようになっており、そして図１８に示すように、端縁１１１ｆに対して離間する際、リング部５４と共に各固定部５７と接する箇所から折れ曲がれ、手持ちできる弧状の取っ手としての役割を果たすことができる。なお、各固定部５７にある穿孔５７０は、リップ部５５を動かすための外力などにより、リップ部５５と本体１０ｆの裂け目となる各固定部５７において応力集中が生じて構造の破損が起こることを抑止できる。
【００３９】
この第６及び第７の実施形態に示されているように、手提げ手段の構成には様々な変更が可能であり、第６または第７の実施形態に制限されることはない。
【００４０】
（第８の実施形態）
そして、図１９と図２０を参照しながら、本考案の断熱スリーブを例示する第８の実施形態及びその変化例について説明する。図１９は本考案の第８の実施形態が示されている斜視図である。図２０は本考案の第８の実施形態の変化例が示されている斜視図である。なお、前記の実施形態と共通する構成は同じ符号を付けて詳しい説明を省略する。
【００４１】
この第８の実施形態の構成は、前記第１の実施形態と多く共通しているが、本体１０ｇの構造が異なっている。
【００４２】
すなわち、この第８の実施形態において、本実施形態における本体１０ｇの上端１１ｇの端縁１１１ｇには、切り込み口１１２ｇの反対側において該上端１１ｇの開口が臨む側へ更に突起する突起部１１５と、切り込み口１１２ｇの互いに離れた２つの端部からそれぞれ前記開口が臨む側へ更に突起する２つの二股状の装飾部１１８と、が形成されている。そして、突起部１１５には、例えば指を入れて手持ちできるように、両側にそれぞれ開けられた２つの勾玉状（図１９を参照）の取っ手穴１１６が形成されている。また、各取っ手穴１１６の形状は、図２０の変化例に示すように、円形などに適宜変更も可能である。
【００４３】
上記の各実施形態によれば、本考案の断熱スリーブは、高温液体を収容するコップ体３０及びそれを封止するコップ蓋２０を共に包みながら、そして内壁面１４がコップ蓋２０の蓋壁部２３を外から当接してサポートする本体１０と、蓋壁部２３を受け入れて係合することにより該コップ蓋２０をコップ体３０に固定できる係合手段１６を備えているため、コップ蓋２０との係合によって該コップ蓋２０を該コップ体３０に係止することができるので、断熱機能を発揮しながら、コップ体３０に取付けられるコップ蓋２０を係止することができる断熱スリーブを提供することができる。
【００４４】
以上、本考案の好ましい実施形態を説明したが、本考案はこれに限定されるものではなく、その要旨を逸脱しない範囲で種々変更可能である。
【産業上の利用可能性】
【００４５】
上記構成によれば、本考案の断熱スリーブは、１つの筒状材から本体１０と係合手段１６を作成できるために製造が容易なので、多種多様のコップ体及びそれと対応するコップ蓋に合わせて態様を変更し、低コストで生産することも可能である。
【符号の説明】
【００４６】
１０、１０ａ、１０ｂ、１０ｅ、１０ｆ、１０ｇ  本体
１１、１１ｆ、１１ｇ  上端
１１１、１１１ｆ、１１１ｇ  端縁
１１２、１１２ｆ、１１２ｇ  切り込み口
１１５  突起部
１１６  取っ手穴
１１８  装飾部
１２、１２ａ  下端
１４、１４ｂ、１４ｅ  内壁面
１４１  当接箇所
１４２  断熱箇所
１５、１５ｂ、１５ｅ、１５ｆ  外壁面
１６、１６ｂ、１６ｃ、１６ｄ  係合手段
１６０１、１６０１ｄ  上端縁
１６０２、１６０２ｄ  下端縁
１６１、１６１ｂ、１６１ｃ、１６１ｄ  係合口
１６２  環状溝
１６３  係合突起
１６３１  折り目
１６４  当接突起
１６５  角部
１７  コップ止め   
１８  取り付け穴
２０、２０ｃ  コップ蓋
２１、２１ｃ  封止部
２１４  飲み口
２３、２３ｃ  蓋壁部
２３１  張り出し箇所
２３２  折り返し箇所
３０  コップ体
３１  開口部
３２  底部
４０  断熱空間
５０、５０ｆ  手提げ手段
５１  紐部
５２  取り付けブロック
５３  アンカー部
５４  リング部
５５  リップ部
５７  固定部
５７０  穿孔
【図１】
0003209726.tif 000003
【図２】
0003209726.tif 000004
【図３】
0003209726.tif 000005
【図４】
0003209726.tif 000006
【図５】
0003209726.tif 000007
【図６】
0003209726.tif 000008
【図７】
0003209726.tif 000009
【図８】
0003209726.tif 000010
【図９】
0003209726.tif 000011
【図１０】
0003209726.tif 000012
【図１１】
0003209726.tif 000013
【図１２】
0003209726.tif 000014
【図１３】
0003209726.tif 000015
【図１４】
0003209726.tif 000016
【図１５】
0003209726.tif 000017
【図１６】
0003209726.tif 000018
【図１７】
0003209726.tif 000019
【図１８】
0003209726.tif 000020
【図１９】
0003209726.tif 000021
【図２０】
0003209726.tif 000022